(57)【要約】  ユーザーが感じ得る発光ムラが抑制された照明装置を提供することを図る。この目的を達成するために、給電部と、該給電部によって印加される電圧に応じて発光し且つ面状に発光する発光面を有する面発光部と、を備え、該面発光部が、略一定の振幅を有する空間的に周期的な輝度の変動を生じるようにした照明装置を採用する。
2011152496.tif 000002
【特許請求の範囲】
【請求項１】
給電部と、
前記給電部によって印加される電圧に応じて発光し且つ面状に発光する発光面を有する面発光部と、
を備え、
前記面発光部が、
略一定の振幅を有する空間的に周期的な輝度の変動を生じることを特徴とする照明装置。
【請求項２】
請求項１に記載の照明装置であって、
前記輝度の変動が、
視野角１度あたりに５回以上で且つ２０回以下の輝度の増減の繰り返しを有することを特徴とする照明装置。
【請求項３】
請求項１または請求項２に記載の照明装置であって、
前記輝度の変動が、
第１方向における略一定の振幅を有する空間的に周期的な輝度の変動と、前記第１方向とは異なる第２方向における略一定の振幅を有する空間的に周期的な輝度の変動と、が重畳することで生じることを特徴とする照明装置。
【請求項４】
請求項１から請求項３の何れか１つの請求項に記載の照明装置であって、
前記面発光部が生じる輝度の変動が、
略一定の振幅を有する第１空間周波数の空間的に周期的な輝度の変動と、略一定の振幅を有する前記第１空間周波数とは異なる第２空間周波数の空間的に周期的な輝度の変動と、が重畳することで生じることを特徴とする照明装置。
【請求項５】
請求項４に記載の照明装置であって、
前記面発光部が生じる輝度の変動が、
略一定の振幅を有する三角波および方形波のうちの少なくとも一方の波形に係る空間的に周期的な輝度の変動を含むことを特徴とする照明装置。
【請求項６】
請求項１から請求項５の何れか１つの請求項に記載の照明装置であって、
前記面発光部が、
第１電極層、第２電極層、および前記第１電極層と前記第２電極層とに挟まれた発光層を有し、
前記発光層が、
略一定の振幅を有する空間的に周期的な厚さの変動を有していることを特徴とする照明装置。
【請求項７】
請求項１から請求項６の何れか１つの請求項に記載の照明装置であって、
前記面発光部が、
第１電極層、第２電極層、および前記第１電極層と前記第２電極層とに挟まれた発光層、をそれぞれ有する複数の発光ユニットが少なくとも一方向に並列配置された構造を備え、
前記複数の発光ユニットのうちの前記一方向に隣接し合う各組の発光ユニットの間で、一方の発光ユニットの前記第１電極層における第１一端部と他方の発光ユニットの前記第２電極層における第２一端部とが電気的に接続され、
前記給電部による前記面発光部に対する電圧の印加に応じて、各前記発光ユニットにおいて、前記第１電極層の前記第１一端部と、前記第２電極層の前記第２一端部との間に電圧が印加されるとともに、
各前記発光ユニットにおいて、前記第１電極層における前記一方向の電気抵抗が、前記第２電極層における前記一方向の電気抵抗よりも大きいことを特徴とする照明装置。
【請求項８】
請求項１から請求項７の何れか１つの請求項に記載の照明装置であって、
前記面発光部が、
第１電極層、第２電極層、および前記第１電極層と前記第２電極層とに挟まれた発光層を有し、
前記給電部が、
前記第１電極層に対して電気的に接続され且つ空間的に周期的に設けられる複数の配線を有するともに、前記複数の配線によって前記第１電極層と前記第２電極層との間に電圧を印加し、
前記第１電極層の主面に沿った方向における電気抵抗が、前記第２電極層の主面に沿った方向における電気抵抗よりも大きいことを特徴とする照明装置。
【請求項９】
請求項１から請求項８の何れか１つの請求項に記載の照明装置であって、
前記面発光部が、
透明基板と、該透明基板上に順次に積層されている第１電極層と、発光層と、第２電極層とを有し、
前記透明基板に対して、空間的に周期的な模様が設けられていることを特徴とする照明装置。
【請求項１０】
請求項１から請求項９の何れか１つの請求項に記載の照明装置であって、
前記面発光部が、
透明基板と、該透明基板上に順次に積層されている第１電極層と、発光層と、第２電極層とを有し、
前記透明基板に対して、空間的に周期的な凹凸が設けられていることを特徴とする照明装置。
【発明の詳細な説明】
【技術分野】
【０００１】
本発明は、面発光を行う照明装置に関する。
【背景技術】
【０００２】
近年、電力の消費量が少ない面発光を行うデバイス（面発光デバイスとも言う）として、有機ＥＬ(organic electroluminescence)を利用した発光デバイス（有機ＥＬデバイスとも言う）が注目されており、照明装置等への応用が進められている。【０００３】
この有機ＥＬデバイスは、２つの電極（アノード電極とカソード電極）が有機発光層を挟む構造を有しており、有機ＥＬデバイスの大面積化に伴って、製造工程等において有機発光層の厚さが不均一になり易い傾向にある。そして、その結果、有機ＥＬデバイスの発光時における輝度等が均一でないことに起因して、ユーザーが発光のムラ（発光ムラとも言う）を感じる虞がある。このような発光ムラは、有機ＥＬデバイスの使用条件に応じた有機発光層等の劣化によっても生じ得る。【０００４】
ここで、有機ＥＬデバイスは、発光時における輝度の変動が所定の範囲内に収まっていれば、照明装置に要求される機能を十分満たす。但し、輝度の変動に因ってユーザーがある程度の発光ムラを感じれば、有機ＥＬデバイスの照明装置としての品位が損なわれる。【０００５】
このため、発光ムラの発生を防ぐために、均一な膜厚の有機発光層を形成するための技術が提案されている（例えば、特許文献１等）。
【先行技術文献】
【特許文献】
【０００６】
【特許文献１】特開２００９−２４５７７７号公報
【発明の概要】
【発明が解決しようとする課題】
【０００７】
しかしながら、特許文献１の技術によっても、有機ＥＬデバイスの大面積化が指向される中で、有機発光層の膜厚のばらつきが完全には抑制され得ず、ユーザーに発光ムラを感じさせ得る。このような問題は、有機ＥＬデバイスに限られず、面発光を行う照明装置一般に共通する。【０００８】
本発明は、上記課題に鑑みてなされたものであり、ユーザーが感じ得る発光ムラが抑制された照明装置を提供することを目的とする。
【課題を解決するための手段】
【０００９】
上記課題を解決するために、第１の態様に係る照明装置は、給電部と、前記給電部によって印加される電圧に応じて発光し且つ面状に発光する発光面を有する面発光部と、を備え、前記面発光部が、略一定の振幅を有する空間的に周期的な輝度の変動を生じる。【００１０】
第２の態様に係る照明装置は、第１の態様に係る照明装置であって、前記輝度の変動が、視野角１度あたりに５回以上で且つ２０回以下の輝度の増減の繰り返しを有する。【００１１】
第３の態様に係る照明装置は、第１または第２の態様に係る照明装置であって、前記輝度の変動が、第１方向における略一定の振幅を有する空間的に周期的な輝度の変動と、前記第１方向とは異なる第２方向における略一定の振幅を有する空間的に周期的な輝度の変動と、が重畳することで生じる。【００１２】
第４の態様に係る照明装置は、第１から第３の何れか１つの態様に係る照明装置であって、前記面発光部が生じる輝度の変動が、略一定の振幅を有する第１空間周波数の空間的に周期的な輝度の変動と、略一定の振幅を有する前記第１空間周波数とは異なる第２空間周波数の空間的に周期的な輝度の変動と、が重畳することで生じる。【００１３】
第５の態様に係る照明装置は、第４の態様に係る照明装置であって、前記面発光部が生じる輝度の変動が、略一定の振幅を有する三角波および方形波のうちの少なくとも一方の波形に係る空間的に周期的な輝度の変動を含む。【００１４】
第６の態様に係る照明装置は、第１から第５の何れか１つの態様に係る照明装置であって、前記面発光部が、第１電極層、第２電極層、および前記第１電極層と前記第２電極層とに挟まれた発光層を有し、前記発光層が、略一定の振幅を有する空間的に周期的な厚さの変動を有している。【００１５】
第７の態様に係る照明装置は、第１から第６の何れか１つの態様に係る照明装置であって、前記面発光部が、第１電極層、第２電極層、および前記第１電極層と前記第２電極層とに挟まれた発光層、をそれぞれ有する複数の発光ユニットが少なくとも一方向に並列配置された構造を備え、前記複数の発光ユニットのうちの前記一方向に隣接し合う各組の発光ユニットの間で、一方の発光ユニットの前記第１電極層における第１一端部と他方の発光ユニットの前記第２電極層における第２一端部とが電気的に接続され、前記給電部による前記面発光部に対する電圧の印加に応じて、各前記発光ユニットにおいて、前記第１電極層の前記第１一端部と、前記第２電極層の前記第２一端部との間に電圧が印加されるとともに、各前記発光ユニットにおいて、前記第１電極層における前記一方向の電気抵抗が、前記第２電極層における前記一方向の電気抵抗よりも大きい。【００１６】
第８の態様に係る照明装置は、第１から第７の何れか１つの態様に係る照明装置であって、前記面発光部が、第１電極層、第２電極層、および前記第１電極層と前記第２電極層とに挟まれた発光層を有し、前記給電部が、前記第１電極層に対して電気的に接続され且つ空間的に周期的に設けられる複数の配線を有するともに、前記複数の配線によって前記第１電極層と前記第２電極層との間に電圧を印加し、前記第１電極層の主面に沿った方向における電気抵抗が、前記第２電極層の主面に沿った方向における電気抵抗よりも大きい。【００１７】
第９の態様に係る照明装置は、第１から第８の何れか１つの態様に係る照明装置であって、前記面発光部が、透明基板と、該透明基板上に順次に積層されている第１電極層と、発光層と、第２電極層とを有し、前記透明基板に対して、空間的に周期的な模様が設けられている。【００１８】
第１０の態様に係る照明装置は、第１から第９の何れか１つの態様に係る照明装置であって、前記面発光部が、透明基板と、該透明基板上に順次に積層されている第１電極層と、発光層と、第２電極層とを有し、前記透明基板に対して、空間的に周期的な凹凸が設けられている。
【発明の効果】
【００１９】
第１から第１０の何れの態様に係る照明装置によっても、略一定の振幅を有する空間的に周期的な輝度の変動が存在することで、ユーザーが感じ得る発光ムラが抑制され得る。【００２０】
第２の態様に係る照明装置によれば、ユーザーが感じ得る発光ムラが効率良く抑制され得る。【００２１】
第３から第５の何れの態様に係る照明装置によっても、ユーザーが感じ得る発光ムラが更に抑制され得る。【００２２】
第６から第１０の何れの態様に係る照明装置によっても、比較的簡易な構成によってユーザーが感じ得る発光ムラが抑制され得る。
【図面の簡単な説明】
【００２３】
【図１】図１は、一実施形態に係る照明装置の概略的な構成を示す模式図である。
【図２】図２は、一実施形態に係る面発光部の構成例を模式的に示す断面図である。
【図３】図３は、一実施形態に係る面発光部における輝度の変動を示す図である。
【図４】図４は、輝度の変動と発光ムラとの関係を得るための実験条件を示す図である。
【図５】図５は、輝度の変動と発光ムラとの関係を得るための実験条件を示す図である。
【図６】図６は、輝度の変動における空間周波数および振幅と感度との関係を示す図である。
【図７】図７は、ある輝度の変動に対する感度に他の輝度の変動が及ぼす影響を得るための実験条件を示す図である。
【図８】図８は、ある輝度の変動に対する感度に他の輝度の変動が及ぼす影響を示す図である。
【図９】図９は、輝度の変動における空間周波数とマスク効果係数との関係を示す図である。
【図１０】図１０は、発光ムラが感じられる輝度の変動における振幅の下限値と空間周波数との関係を示す図である。
【図１１】図１１は、発光ムラが感じられる輝度の変動における振幅の下限値と重畳される輝度の変動の振幅との関係を示す図である。
【図１２】図１２は、第１変形例に係る面発光部の構成例を示す断面図である。
【図１３】図１３は、第１変形例に係る面発光部で生じる輝度の変動を示す図である。
【図１４】図１４は、第２変形例に係る面発光部の構成例を示す断面図である。
【図１５】図１５は、第２変形例に係る給電部の構成例を示す平面図である。
【図１６】図１６は、第２変形例に係る面発光部で生じる輝度の変動を示す図である。
【図１７】図１７は、第３変形例に係る面発光部の構成例を示す断面図である。
【図１８】図１８は、第３変形例に係る面発光部の構成例を示す下面図である。
【図１９】図１９は、第４変形例に係る面発光部の構成例を示す断面図である。
【発明を実施するための形態】
【００２４】
以下、本発明の一実施形態を図面に基づいて説明する。なお、図面においては同様な構成および機能を有する部分については同じ符号が付されており、下記説明では重複説明が省略される。また、図面は模式的に示されたものであり、各図における各種構造の寸法、形状、および位置関係等は正確に図示されたものではない。
【００２５】
＜(１)照明装置の概略構成＞
図１は、一実施形態に係る照明装置１の概略的な構成を示す模式図である。図１には、照明装置１において面状に発光する部分（発光面とも言う）に平行な面をＸＹ平面とする左手系のＸＹＺ座標系が付されている。図２以降の各図にも、必要に応じて、方位関係が明確となるように、図１に付されたＸＹＺの３軸に対応する１以上の軸が付されている。
【００２６】
照明装置１は、面発光部１０と、給電部２１，２２とを備える。
【００２７】
面発光部１０は、透明基板１１、下部電極層１２、発光層１３、および上部電極層１４を備える。そして、面発光部１０では、透明基板１１上に、下部電極層１２と、発光層１３と、上部電極層１４とが、この順番で空間順次に積層されている。透明基板１１上に、下部電極層１２と、発光層１３と、上部電極層１４とが積層される方法は、例えば、蒸着法、スパッタリング法、および塗布法の何れであっても良い。
【００２８】
なお、実際には、例えば、下部電極層１２と発光層１３との間、および発光層１３と上部電極層１４との間に、電子輸送層および正孔輸送層等のその他の層が適宜介在している。但し、本実施形態では、説明および図示の簡略化のために、これらの層の存在が省略されている。
【００２９】
透明基板１１は、可視光線を透過させる平板状の基板であり、例えば、ガラス等によって構成されている。
【００３０】
下部電極層１２は、可視光線を透過させ且つ導電性を有する層であり、例えば、酸化インジウムスズ(ITO：Indium Tin Oxide)等によって構成されている。
【００３１】
上部電極層１４は、導電性を有する層であり、例えば、モリブデンや銀等によって構成され、発光層１３で発せられる光を反射する。
【００３２】
発光層１３は、下部電極層１２と上部電極層１４との間に電圧が印加されることで発光する層であり、例えば、高分子材料または低分子材料等の発光材料によって構成されている。ここでは、下部電極層１２と上部電極層１４との間に電圧が印加されると、下部電極層１２および上部電極層１４のうちの一方の電極から電子が発光層１３に注入されるとともに他方の電極から正孔が発光層１３に注入される。このとき、発光層１３で電子と正孔とが結合することで光が発せられる。
【００３３】
給電部２１，２２は、銅等といった良導体によって構成されている。そして、給電部２１は、下部電極層１２に対して電気的に接続され、給電部２２は、上部電極層１４に対して電気的に接続されている。また、給電部２１と給電部２２との間には、電源２とスイッチ部３とが順次に電気的に接続されている。
【００３４】
例えば、スイッチ部３が電流を流さない状態（開状態とも言う）の場合には、電源２と給電部２２とが電気的に接続されず、電源２によって給電部２１と給電部２２との間に電圧が印加されない。一方、スイッチ部３が電流を流す状態（閉状態とも言う）の場合には、電源２と給電部２２とが電気的に接続され、電源２によって給電部２１と給電部２２との間に電圧が印加される。
【００３５】
このため、面発光部１０は、電源２から給電部２１，２２を介して印加される電圧に応じて発光層１３において光を発する。発光層１３で発する光は、図１の下向きの矢印ＡＲ１で示されるように、下部電極層１２および透明基板１１を順次に透過して透明基板１１の外部に射出される。つまり、平面状の透明基板１１の一主面（発光面とも言う）から光が発せられ、その結果、面発光部１０の発光面が面状（ここでは平面状）に発光する。
【００３６】
ところで、面発光部１０では、例えば、発光層１３の厚さが不均一となれば、発光面で輝度のムラが生じ、ユーザーが発光のムラ（発光ムラとも言う）を感じる虞がある。そこで、本実施形態に係る面発光部１０では、ユーザーが感じる発光ムラを抑制可能な構造（発光ムラ抑制構造とも言う）が採用されている。
【００３７】
＜(２)発光ムラ抑制構造＞
図２は、一実施形態に係る面発光部１０の構成例を模式的に示す断面図である。
【００３８】
下部電極層１２と上部電極層１４とに挟まれた発光層１３は、略一定（好ましくは一定）の振幅の空間的に周期的な厚さの変動を有する。
【００３９】
例えば、発光層１３の厚さの方向がＺ軸に沿った方向（Ｚ軸方向とも言う）であれば、発光層１３は、一方向としてのＸ軸に沿った方向（Ｘ軸方向とも言う）において、略一定の振幅の空間的に周期的な厚さの変動を有する。
【００４０】
ここで、略一定の振幅は、例えば、発光層１３の厚さの平均値を基準とした該平均値の所定割合（例えば、４割）であれば良い。また、空間的に周期的な厚さの変動は、例えば、Ｘ軸方向における位置の変化に応じて正弦波で示されるように厚さが変化するものであれば良い。更に、例えば、Ｘ軸方向における位置が同一であれば、Ｙ軸に沿った方向（Ｙ軸方向とも言う）の位置に拘わらず、発光層１３が略同一の厚さを有していれば良い。
【００４１】
このような発光層１３の厚さの変動は、例えば、該厚さの変動における空間的な周期に応じた形状を有する金属マスクを用いた蒸着法またはスパッタリング法によって発光層１３が形成されることで、実現され得る。
【００４２】
上述されたように、発光層１３が、略一定の振幅の空間的に周期的な構造を有する。このため、面発光部１０が発光する際に、発光層１３の周期的な構造に応じて、面発光部１０の発光面において、略一定（好ましくは一定）の振幅を有する空間的に周期的な輝度の変動が生じる。
【００４３】
図３は、面発光部１０の発光面で生じる輝度の変動を例示する図である。図３では、横軸がＸ方向の位置を示し、縦軸が輝度を示し、Ｘ方向の位置の変化に伴って発光面で生じる輝度の変動が太線で示されている。
【００４４】
次に、このような発光面における空間的に周期的な輝度の変動によって、発光ムラが抑制される原理および発光ムラの抑制に好適な条件について説明する。
【００４５】
＜(３)発光ムラの抑制原理および好適な条件＞
以下では、(３−１)発光面における輝度の変動と人による発光ムラとしての認識との関係、および(３−２)他の輝度の変動による発光ムラの抑制とその抑制に好適な条件、について順次に説明する。
【００４６】
＜(３−１)輝度の変動と人による発光ムラとしての認識との関係＞
図４および図５は、輝度の変動と発光ムラとの関係を得るための実験の条件を示す図である。
【００４７】
図４で示されるように、表示装置３０の画面上に輝度の変動が表示され、その画面を見た観察者５０が如何なる輝度の変動を輝度ムラとして感じるかを判断することによって、発光面における輝度の変動と人による発光ムラとしての認識との関係が得られた。
【００４８】
ここで、表示装置３０は、多数の画素がマトリックス状に配列された液晶表示画面（適宜、画面と略称する）を有し、机２０の上に載置されることで、位置および姿勢が一定に固定された。この画面は、４７３ｍｍの横幅と２２インチの対角線とを有する長方形の外縁を備えた略平面状のものであるとともに、横方向に１９２０個の画素が配列され、縦方向に１２００個の画素が配列されたものであった。
【００４９】
また、実験中は、観察者５０は、画面に対して正対するように椅子４０に座り且つ壁６０に背中と後頭部とを接触させた状態を維持することで、位置および姿勢が一定に保持された。そして、観察者５０の両眼の瞳の重心を結ぶ線と画面の横方向とが略平行であり、観察者５０の両眼の瞳の重心を結ぶ線の中点と画面の中心点３０ｃｔとを結ぶ線が、画面の法線と略一致し且つ１５００ｍｍの長さを有していた。
【００５０】
また、図５で示されるように、画面の左上の画素が原点、画面の右方向がｘ方向、画面の下方向がｙ方向とされた。そして、ｘ方向に行けば行くほど空間的な周波数が高くなり且つｙ方向に行けば行くほど振幅が小さくなる輝度の変動を示す縦縞のパターン（縦縞模様とも言う）が画面上に表示された。
【００５１】
なお、図５では、輝度が極小値を示す領域が一点鎖線で示され、輝度が極大値を示す領域が破線で示されている。また、図５では、ｘ方向に行けば行くほど縦縞模様の間隔が狭くなる様子が示されているが、縦縞模様の間隔が図示出来ないほど狭くなっている部分については、縦縞模様が省略されている。更に、視認不可能な縦縞模様も図示が省略されている。
【００５２】
ｘ方向における輝度の増減は、例えば、ｘ方向に行けば行くほど空間的な周波数（空間周波数とも言う）が高くなる正弦波（サイン波）で表されるものが採用された。空間周波数は、観察者５０の視野角１°において輝度の増減が繰り返される回数に相当し、その単位は、１°当たりのサイクルの数、すなわちcpd(cycles per degree)で示される。
【００５３】
例えば、縦縞模様に係る空間周波数は、１０-Xの定数倍とされ、縦縞模様に係る振幅は、１０-yの定数倍とされた。具体的には、ｙ＝０における振幅は、所定輝度を基準とした該所定輝度の０．４倍とされた。そして、白色に対応する輝度の最大値が３５０ｃｄ／ｍ2である条件において、所定輝度が、灰色に対応する輝度である１００ｃｄ／ｍ2に設定された。つまり、ｙ＝０では、輝度を８０〜１２０ｃｄ／ｍ2の範囲で変動させた。
【００５４】
このような縦縞模様が画面に表示された状態で、観察者５０が、画面上において縦縞模様の存在が視認可能な領域と視認不可能な領域との境界を確認し、その境界を示す線（境界線とも言う）が画面上に付された。図５では、この境界線が太い曲線で示されており、この境界線は、空間周波数と視認可能な振幅との関係を示す。
【００５５】
ここで、各空間周波数について視認可能な振幅の最小値の逆数が感度として得られ、更に、各感度が感度の最大値（最大感度とも言う）で除される規格化が行われることで、各空間周波数について相対的な感度（相対感度とも言う）が得られた。そして、縦縞模様の空間周波数と相対感度との関係として、図６の太い曲線で示される関係が得られた。図６では、横軸が空間周波数を示し、縦軸が相対感度を示す。
【００５６】
図６で示されるように、人間の視覚については、視野角１°において輝度の増減が繰り返される回数（空間周波数）に応じて、輝度の増減に対する感度が異なることが分かった。具体的には、相対感度が、空間周波数が２〜６cpdの範囲においてピークを示し、１００cpd辺りで感度が無くなることが分かった。別の観点から言えば、同じ振幅の輝度の変動であっても、中間的な空間周波数（ここでは、２〜１００cpd）に係る輝度の変動は視認されるが、高域の空間周波数（１００cpdを超えるもの）に係る輝度の変動は視認されないことが分かった。
【００５７】
＜(３−２)他の輝度の変動による発光ムラの抑制とその抑制に好適な条件＞
図７は、ある輝度の変動に対する感度に他の輝度の変動が及ぼす影響を得るための実験の条件を示す図である。
【００５８】
ここでは、表示装置３０および観察者５０については、図４で示されたものと同一の条件が採用された。また、図７で示されるように、表示装置３０の画面上において、図５で示された輝度の変動（第１の輝度の変動とも言う）が表示され、更にその第１の輝度の変動とは異なる輝度の変動（第２の輝度の変動とも言う）が重畳された。そして、その画面を見た観察者５０が第１の輝度の変動を輝度ムラとして感じるか否かの境界と、第２の輝度の変動に係る空間周波数との関係が得られた。
【００５９】
第２の輝度の変動は、図７で示されるように、ｙ方向に輝度が増減し、所定の振幅と所定の空間周波数とを有する正弦波で表される輝度の変動を示す横縞のパターン（横縞模様とも言う）が採用された。
【００６０】
なお、図７でも、図５と同様に、第１および第２の輝度の変動において輝度が極小値を示す領域が一点鎖線で示され、輝度が極大値を示す領域が破線で示されている。更に、第１の輝度の変動において縦縞模様の間隔が図示出来ないほど狭くなっている部分については、縦縞模様が省略されている。更に、視認不可能な縦縞模様も図示が省略されている。
【００６１】
ここでは、横縞模様に係る空間周波数として、１，２，３，５，１０，２０，３０，５０，１００，１５０cpdの１０種類のものが順次に採用された。また、第２の輝度の変動としての横縞模様に係る輝度の振幅として、ｘ方向の位置に拘わらず、一定の輝度の振幅が採用された。ここで一定の輝度の振幅は、灰色に相当する１００ｃｄ／ｍ2が中心とされた４０ｃｄ／ｍ2が採用された。つまり、横縞模様の輝度を、８０〜１２０ｃｄ／ｍ2の範囲で変動させた。
【００６２】
このような縦縞模様に横縞模様が重畳されたものが画面に表示された状態で、観察者５０が、画面上において縦縞模様の存在が視認可能な領域と視認不可能な領域との境界を確認し、その境界を示す線（境界線）が画面上に付された。図７では、この境界線の一例が太い曲線で示されており、この境界線は、空間周波数と視認可能な振幅との関係を示す。
【００６３】
ここで、横縞模様の空間周波数毎に、縦縞模様の各空間周波数について視認可能な振幅の最小値の逆数が感度として得られた。更に、横縞模様が重畳されていない場合の感度の最大値（最大感度とも言う）で各感度が除される規格化によって相対感度が得られた。そして、横縞模様の空間周波数毎の縦縞模様に係る空間周波数と相対感度との関係として、図８で示される関係が得られた。図８では、横軸が空間周波数であり、縦軸が相対感度を示す。
【００６４】
図８では、図６で示された横縞模様が重畳されていない場合における縦縞模様の空間周波数と相対感度との関係が、太い曲線で描かれている。
【００６５】
そして、図８では、横縞模様の空間周波数が１cpdの場合における縦縞模様の空間周波数と相対感度との関係が「黒丸印と実線の曲線との組み合わせ」で示され、横縞模様の空間周波数が２cpdの場合における縦縞模様の空間周波数と相対感度との関係が「Ｘ印と実線の曲線との組み合わせ」で示されている。横縞模様の空間周波数が３cpdの場合における縦縞模様の空間周波数と相対感度との関係が「黒塗りの三角印と実線の曲線との組み合わせ」で示され、横縞模様の空間周波数が５cpdの場合における縦縞模様の空間周波数と相対感度との関係が「黒塗りの菱形印と実線の曲線との組み合わせ」で示されている。
【００６６】
また、図８では、横縞模様の空間周波数が１０cpdの場合における縦縞模様の空間周波数と相対感度との関係が「黒塗りの正方形印と実線の曲線との組み合わせ」で示され、横縞模様の空間周波数が２０cpdの場合における縦縞模様の空間周波数と相対感度との関係が「白丸印と細線の曲線との組み合わせ」で示されている。横縞模様の空間周波数が３０cpdの場合における縦縞模様の空間周波数と相対感度との関係が「バツ印と細線の曲線との組み合わせ」で示され、横縞模様の空間周波数が５０cpdの場合における縦縞模様の空間周波数と相対感度との関係が「白塗りの三角印と細線の曲線との組み合わせ」で示されている。
【００６７】
更に、図８では、横縞模様の空間周波数が１００cpdの場合における縦縞模様の空間周波数と相対感度との関係が「白塗りの菱形印と細線の曲線との組み合わせ」で示され、横縞模様の空間周波数が１５０cpdの場合における縦縞模様の空間周波数と相対感度との関係が「白塗りの正方形印と細線の曲線との組み合わせ」で示されている。
【００６８】
ここでは、図８で示されているように、縦縞模様に横縞模様が重畳されることで、縦縞模様の認識に係る相対感度が低下することが分かった。従って、故意に横縞模様を生じさせることで、縦縞模様に因る発光ムラが抑制される効果（マスク効果とも言う）が得られることが分かった。特に、横縞模様が重畳されていない場合に縦縞模様の相対感度が高くなる中間的な空間周波数の範囲（ここでは、２〜６cpdの付近）における輝度の変動に対して、顕著なマスク効果が得られることが分かった。
【００６９】
このマスク効果は、空間周波数が近い関係にある縦縞模様と横縞模様とが重畳された場合だけでなく、空間周波数が大きく異なる関係にある縦縞模様と横縞模様とが重畳された場合であっても得られることが分かった。
【００７０】
ところで、第２の輝度の変動のような一定の振幅および一定の空間周波数を有する輝度の変動は、意図的に生み出された輝度の変動として認識され、観察者５０には発光ムラとして感じられない。従って、照明装置１では、製造工程において生じる発光層１３の不均一な厚さおよび使用条件等に因って輝度ムラが発生したとしても、該輝度ムラが発光ムラとして感じられることが、意図的な輝度の変動によって抑制可能であることが分かった。
【００７１】
図９は、横縞模様の空間周波数毎の縦縞模様に係る空間周波数とマスク効果の程度との関係を示す図である。図９では、横軸が空間周波数を示し、縦軸がマスク効果の程度を示す数値であるマスク効果係数を示す。マスク効果係数は、横縞模様の空間周波数毎に、横縞模様が重畳された場合における縦縞模様に係る各空間周波数の相対感度が、横縞模様が重畳されていない場合における縦縞模様の対応する空間周波数の相対感度で除されることで導出された。
【００７２】
なお、図９では、横縞模様の空間周波数が１cpdの場合における縦縞模様の空間周波数とマスク効果係数との関係が「黒丸印と実線の曲線との組み合わせ」で示され、横縞模様の空間周波数が２cpdの場合における縦縞模様の空間周波数とマスク効果係数との関係が「バツ印と実線の曲線との組み合わせ」で示されている。横縞模様の空間周波数が３cpdの場合における縦縞模様の空間周波数とマスク効果係数との関係が「黒塗りの三角印と実線の曲線との組み合わせ」で示され、横縞模様の空間周波数が５cpdの場合における縦縞模様の空間周波数とマスク効果係数との関係が「黒塗りの菱形印と実線の曲線との組み合わせ」で示されている。
【００７３】
また、図９では、横縞模様の空間周波数が１０cpdの場合における縦縞模様の空間周波数とマスク効果係数との関係が「黒塗りの正方形印と実線の曲線との組み合わせ」で示され、横縞模様の空間周波数が２０cpdの場合における縦縞模様の空間周波数とマスク効果係数との関係が「白丸印と細線の曲線との組み合わせ」で示されている。横縞模様の空間周波数が３０cpdの場合における縦縞模様の空間周波数とマスク効果係数との関係が「バツ印と細線の曲線との組み合わせ」で示され、横縞模様の空間周波数が５０cpdの場合における縦縞模様の空間周波数とマスク効果係数との関係が「白塗りの三角印と細線の曲線との組み合わせ」で示されている。
【００７４】
更に、図９では、横縞模様の空間周波数が１００cpdの場合における縦縞模様の空間周波数とマスク効果係数との関係が「白塗りの菱形印と細線の曲線との組み合わせ」で示され、横縞模様の空間周波数が１５０cpdの場合における縦縞模様の空間周波数とマスク効果係数との関係が「白塗りの正方形印と細線の曲線との組み合わせ」で示されている。
【００７５】
図９で示されるように、横縞模様の空間周波数が５〜２０cpdの範囲であれば、相対的に高いマスク効果係数が得られる。換言すれば、高いマスク効果が得られる観点から言えば、横縞模様の空間周波数が５〜２０cpdの範囲に含まれることが好ましい。そして、図６および図８の太線の曲線で示されるように、観察者５０にとって横縞模様がより感じられ難くなる観点から言えば、横縞模様の空間周波数が１０〜２０cpdの範囲に含まれることがより好ましく、横縞模様の空間周波数が２０cpdであることが更に好ましい。
【００７６】
また、別の観点から見れば、図４〜図６が示されて説明された輝度の変動と人による発光ムラとしての認識との関係に係る実験結果から、縦縞模様の空間周波数と、観察者５０が発光ムラであると感じる縦縞模様の振幅の最小値との関係が得られる。この縦縞模様の振幅の最小値は、ムラのＪＮＤ（Just Noticeable Difference）とも称され、縦縞模様の空間周波数とムラのＪＮＤとの関係として、図１０の太線の曲線で示される関係が得られた。
【００７７】
図１０では、横軸が縦縞模様の空間周波数を示すとともに、縦軸が縦縞模様の振幅を示し、縦縞模様の振幅の中心となる輝度（ここでは、１００ｃｄ／ｍ2）と一致する振幅が、ムラのＪＮＤの基準値（ここでは、１）とされている。
【００７８】
図１０で示されるように、人間の目の感度が最も高くなる輝度の変動の空間周波数、つまりムラのＪＮＤが最も小さくなる縦縞模様の空間周波数では、そのムラのＪＮＤは、０．００１７程度であった。また、有機ＥＬデバイスについては、製造方法にも依るが、輝度の変動を２％以下に抑制することは非常に難しい。このため、ムラのＪＮＤが、２％の輝度の変動に対応する０．０２を超えるようにする条件が採用されることが好ましい。そして、ムラのＪＮＤが０．０２を超えるためには、人間の目の感度が最も高くなる輝度の変動の空間周波数について、ムラのＪＮＤが約１２（＝０．０２／０．００１７）倍にされる必要がある。
【００７９】
ところで、別の実験として、図１１で示されるように、表示装置３０の画面に、ｘ方向における輝度の増減が１０-Xの定数倍の振幅と一定の空間周波数を有する正弦波で示される縦縞模様と、ｙ方向における輝度の増減が１０-yの定数倍の振幅と一定の空間周波数を有する正弦波で示される横縞模様とが重畳された。この際、観察者５０によって確認された、画面上において縦縞模様の存在が視認可能な領域と視認不可能な領域との境界線が、図１１の太線で示されるものであった。図１１で示されるように、境界線については、縦縞模様の振幅が非常に小さくなるまで、縦縞模様の振幅と横縞模様の振幅とが比例関係を有することが分かった。
【００８０】
そして、図９で示されたように、人間の目の感度が最も高くなる輝度の変動の空間周波数では、縦縞模様に対して、空間周波数が２０cpdであり且つ振幅が所定輝度を中心とした該所定輝度の０．４倍である横縞模様が重畳されれば、マスク効果係数が約８０倍となり、ムラのＪＮＤが約８０倍になることが分かった。
【００８１】
ここで、ムラのＪＮＤが約１２倍となるためには、横縞模様の空間周波数が２０cpdであり且つ振幅が所定輝度の約０．０６倍（＝０．４×１２／８０）となる条件が採用されれば良い。但し、実際には、有機ＥＬデバイスにおいては、製造方法にも依るが、輝度の変動が約１０％となることも頻繁に起こり得る。そして、ムラのＪＮＤが約６０（＝０．１／０．００１７）倍となるためには、横縞模様の空間周波数が２０cpdであり且つ振幅が所定輝度の約０．３倍（＝０．４×６０／８０）となる条件が採用されれば良い。
【００８２】
すなわち、発光ムラが抑制されるためには、例えば、意図的に生み出される輝度の変動が、空間周波数が２０cpdであり且つ振幅が該振幅の中心である所定輝度の約０．３倍を超えるものであることが好ましい。
【００８３】
なお、照明装置１が卓上用の照明装置であれば、一般的には、ユーザーの目と面発光部１０とが４０〜１００ｃｍ程度離隔する。また、照明装置１が天井に設けられる照明装置であれば、一般的には、ユーザーの目と面発光部１０とが１００〜３００ｃｍ程度離隔する。このため、照明装置１の用途に応じて、輝度の変動に係る空間周波数が５〜２０cpdとなるように、面発光部１０における単位長さ当たりの輝度の変動の回数（例えば、単位がcycle/cm）が設定されることが好ましい。
【００８４】
＜(４)一実施形態のまとめ＞
以上のように、一実施形態に係る照明装置１によれば、略一定の振幅を有する空間的に周期的な輝度の変動が意図的に実現されるため、ユーザーが感じ得る発光ムラが抑制され得る。特に、意図的に設けられる輝度の変動の空間周波数が５〜２０cpdであれば、ユーザーが感じ得る発光ムラが効率良く抑制され得る。
【００８５】
また、下部電極層１２と上部電極層１４とに挟まれた発光層１３が、略一定の振幅の空間的に周期的な厚さの変動を有する構成を有していれば、略一定の振幅を有する空間的に周期的な輝度の変動が意図的に生み出される。従って、比較的簡易な構成によってユーザーが感じ得る発光ムラが抑制され得る。
【００８６】
＜(５)変形例＞
なお、本発明は上述の実施の形態に限定されるものではなく、本発明の要旨を逸脱しない範囲において種々の変更および改良等が可能である。
【００８７】
例えば、上記一実施形態では、発光層１３の厚さの変動によって、意図的に略一定の振幅を有する空間的に周期的な輝度の変動が実現されたが、これに限られない。例えば、その他の構成によって、意図的に略一定の振幅を有する空間的に周期的な輝度の変動が実現されも良い。以下、その他の構成の具体例（第１〜４変形例）を挙げて説明する。
【００８８】
＜(５−１)第１変形例＞
図１２は、第１変形例に係る照明装置１Ａの面発光部１０Ａの構成例を模式的に示す断面図である。面発光部１０Ａは、上記一実施形態に係る面発光部１０がベースとされて、下部電極層１２、発光層１３、および上部電極層１４が、下部電極層１２Ａ、発光層１３Ａ、および上部電極層１４Ａに置換されたものである。
【００８９】
下部電極層１２Ａは、上記一実施形態に係る下部電極層１２が所定間隔でｎ個（ｎは２以上の自然数）に分割された形態を有する複数の下部電極層（分割下部電極層とも言う）１２a1〜１２an備えている。なお、隣接し合う各組の分割下部電極層１２a1〜１２anの間は、分離され、電気的に接続されていない。
【００９０】
発光層１３Ａは、上記一実施形態に係る発光層１３が所定間隔で分割された形態を有する複数の発光層（分割発光層とも言う）１３a1〜１３anを備えている。なお、隣接し合う各組の分割発光層１３a1〜１３anの間は、分離されている。
【００９１】
上部電極層１４Ａは、上記一実施形態に係る上部電極層１４が所定間隔で分割された形態を有する複数の上部電極層（分割上部電極層とも言う）１４a1〜１４anを備えている。なお、隣接し合う各組の分割上部電極層１４a1〜１４anの間は、分離され、電気的に接続されていない。
【００９２】
そして、分割下部電極層１２a1と分割発光層１３a1と分割上部電極層１４a1とがこの順番で積層されて１つの発光可能な部分（発光ユニットとも言う）１Ａ1が構成されている。ここで、１〜ｎの任意の自然数がＮとされると、分割下部電極層１２aNと分割発光層１３aNと分割上部電極層１４aNとがこの順番で積層されて１つの発光ユニット１ＡNが構成されている。
【００９３】
すなわち、面発光部１０Ａは、透明基板１１の他主面（ここでは＋Ｚ側の面）上に、ｎ個の発光ユニット１Ａ1〜１Ａnが一方向（ここでは、Ｘ方向）に順次に並べられた構造を有している。具体的には、ｎ個の発光ユニット１Ａ1〜１Ａnが、Ｘ方向に沿って空間的に周期的に設けられている。
【００９４】
また、ここで、１〜（ｎ−１）の任意の自然数がＭとされると、ｎ個の発光ユニット１Ａ1〜１ＡnのうちのＸ方向に隣接し合う各組の発光ユニットの間で、一方の発光ユニットにおける分割下部電極層１２aMの一端部（＋Ｘ側の端部）と分割上部電極層１４a(M+1)の一端部（−Ｘ側の端部）とが電気的に接続されている。
【００９５】
具体的には、各分割上部電極層１４aNは、分割発光層１３aNの一主面（＋Ｚ側の面）上に平面的に配列される部分（平面配列部とも言う）と、−Ｘ側において平面配列部から−Ｚ方向に垂下する部分（垂下部とも言う）とを有している。そして、各分割上部電極層１４a(M+1)の垂下部が一端部として、分割下部電極層１２aMの一端部に対して電気的に接続されている。
【００９６】
また、分割下部電極層１２anの一端部（＋Ｘ側の端部）に給電部２１が電気的に接続され、分割上部電極層１４a1の一端部（−Ｘ側の端部）に給電部２２が電気的に接続されている。このため、給電部２１と給電部２２との間に電圧が印加されると、各発光ユニット１ＡNにおいて、分割下部電極層１２aNの一端部（＋Ｘ側の端部）と分割上部電極層１４aNの一端部（−Ｘ側の端部）との間に電圧が印加される。
【００９７】
また、各発光ユニット１ＡNにおいて、分割下部電極層１２aNにおける一方向（ここでは＋Ｘ方向）の電気抵抗が、分割上部電極層１４aNにおける一方向（ここでは、＋Ｘ方向）の電気抵抗よりも大きくなるように設定されている。このような電気抵抗の設定は、例えば、各分割上部電極層１４aNと各分割下部電極層１２aNとにおける厚さおよび素材のうちの少なくとも一方が適宜に調整されることで実現される。なお、層の厚さの調整は、例えば、蒸着法またはスパッタリング法等における成膜時間によって実現可能であり、層を形成する素材の変更は、例えば、スパッタリング法におけるターゲット材料の変更によって実現可能である。
【００９８】
上記構成を有する第１変形例に係る照明装置１Ａでは、給電部２１と給電部２２との間に電圧が印加されると、各発光ユニット１ＡNにおいて、分割発光層１３aNを挟む分割下部電極層１２aNと分割上部電極層１４aNとの間に電圧が印加される。このとき、各発光ユニット１ＡNにおいて、分割下部電極層１２aNと分割上部電極層１４aNとの間に印加される電圧は、分割下部電極層１２aNにおける相対的に高い電気抵抗によって、一端部側（ここでは＋Ｘ側）から他端部側（ここでは−Ｘ側）に行けば行くほど低下する。
【００９９】
そして、各発光ユニット１ＡNにおける電圧の低下に応じて、面発光部１０Ａが発光する際には、面発光部１０Ａの発光面において、略一定の振幅を有する空間的に周期的な輝度の変動が生じる。
【０１００】
図１３は、面発光部１０Ａの発光面で生じる輝度の変動を例示する図である。図１３では、横軸がＸ方向の位置を示し、縦軸が輝度を示し、Ｘ方向の位置の変化に伴って発光面で生じる輝度の変動が太線で示されている。
【０１０１】
以上のように、第１変形例に係る照明装置１Ａによっても、上記一実施形態に係る照明装置１と同様に比較的簡易な構成によってユーザーが感じ得る発光ムラが抑制され得る。
【０１０２】
なお、各発光ユニット１ＡNにおいて、分割上部電極層１４aNにおける一方向（ここでは＋Ｘ方向）の電気抵抗が、分割下部電極層１２aNにおける一方向（ここでは、＋Ｘ方向）の電気抵抗よりも大きくなるように設定されても、同様な効果が得られる。
【０１０３】
＜(５−２)第２変形例＞
図１４は、第２変形例に係る照明装置１Ｂの面発光部１０Ｂの構成例を模式的に示す断面図である。面発光部１０Ｂは、上記一実施形態に係る面発光部１０がベースとされ、下部電極層１２、発光層１３、上部電極層１４、および給電部２１が、下部電極層１２Ｂ、発光層１３Ｂ、上部電極層１４Ｂ、および給電部２１Ｂに置換されたものである。
【０１０４】
給電部２１Ｂは、透明基板１１の他主面（ここでは＋Ｚ側の面）上に層状に設けられている。図１５は、給電部２１Ｂの構成例を模式的に示す平面図である。図１５で示されるように、給電部２１Ｂは、２本の主配線２１１Ｂ，２１２Ｂと、ｎ本（ｎは２以上の自然数）の副配線２１b1〜２１bnとを備えている。
【０１０５】
２本の主配線２１１Ｂ，２１２Ｂは、Ｘ方向に沿って延在し且つＹ方向に離隔して配置されている。ここで、透明基板１１の他主面（ここでは＋Ｚ側の面）のうちの相互に対向する第１および第２の外縁のうち、第１の外縁近傍において該第１の外縁に沿って主配線２１１Ｂが延在し、第２の外縁近傍において該第２の外縁に沿って主配線２１２Ｂが延在している。
【０１０６】
また、ｎ本の副配線２１b1〜２１bnは、それぞれ主配線２１１Ｂから主配線２１２Ｂに掛けてＹ方向に沿って延在するとともに、相互に所定の離隔距離を有して順次に配置されている。具体的には、ｎ本の副配線２１b1〜２１bnは、Ｘ方向に空間的に周期的に設けられている。そして、ｎ本の副配線２１b1〜２１bnは、２本の主配線２１１Ｂ，２１２Ｂを介して電源２に対して電気的に接続される。
【０１０７】
このような給電部２１Ｂは、例えば、メタルマスクを用いた蒸着法またはスパッタリング法等によって成膜可能である。なお、給電部２１Ｂを構成する素材は、ＩＴＯ等の透明な素材であっても良いし、銅等の良導体であっても良い。但し、給電部２１Ｂを構成する素材は、下部電極層１２Ｂを構成する素材よりも電気抵抗率が低いものであることが好ましい。
【０１０８】
下部電極層１２Ｂは、図１４で示されるように、他主面（ここでは＋Ｚ側の面）上に給電部２１Ｂが設けられた透明基板１１の該他主面に対して、ｎ本の副配線２１b1〜２１bnを覆うように略平坦に形成されている。これにより、ｎ本の副配線２１b1〜２１bnは、下部電極層１２Ｂに対して電気的に接続されている。そして、給電部２１，２２の間に電圧が印加されると、ｎ本の副配線２１b1〜２１bnによって下部電極層１２Ｂと上部電極層１４Ｂとの間に電圧が印加される。
【０１０９】
また、下部電極層１２Ｂにおける一方向（ここでは＋Ｘ方向）の電気抵抗が、上部電極層１４Ｂにおける一方向（ここでは、＋Ｘ方向）の電気抵抗よりも大きくなるように設定されている。このような電気抵抗の設定は、例えば、上部電極層１４Ｂと下部電極層１２Ｂとにおける厚さおよび素材のうちの少なくとも一方が適宜に調整されることで実現される。なお、層の厚さの調整は、例えば、蒸着法またはスパッタリング法等における成膜時間によって実現可能であり、層を形成する素材の変更は、例えば、スパッタリング法におけるターゲット材料の変更によって実現可能である。
【０１１０】
発光層１３Ｂは、下部電極層１２Ｂ上に略均一の厚さで形成されている。また、上部電極層１４Ｂは、発光層１３Ｂ上に略均一の厚さで形成されている。
【０１１１】
上記構成を有する第２変形例に係る照明装置１Ｂでは、給電部２１Ｂと給電部２２との間に電圧が印加されると、下部電極層１２Ｂと上部電極層１４Ｂとの間に電圧が印加される。このとき、下部電極層１２Ｂと上部電極層１４Ｂとの間に印加される電圧は、下部電極層１２Ｂにおける相対的に高い電気抵抗によって、各副配線２１b1〜２１bnから離隔すれば離隔するほど低下する。
【０１１２】
そして、各副配線２１b1〜２１bnを中心とした電圧の低下に応じて、面発光部１０Ｂが発光する際には、面発光部１０Ｂの発光面において、略一定の振幅を有する空間的に周期的な輝度の変動が生じる。
【０１１３】
図１６は、面発光部１０Ｂの発光面で生じる輝度の変動を例示する図である。図１６では、横軸がＸ方向の位置を示し、縦軸が輝度を示し、Ｘ方向の位置の変化に伴って発光面で生じる輝度の変動が太線で示されている。なお、ｎ本の副配線２１b1〜２１bnが透明でなければ、ｎ本の副配線２１b1〜２１bnの存在による光の遮蔽によって輝度の低下が生じるが、図１６では、そのような輝度の低下については省略されている。仮に、そのような輝度の低下が生じても、面発光部１０Ｂの発光面において、略一定の振幅を有する空間的に周期的な輝度の変動が生じる。
【０１１４】
以上のように、第２変形例に係る照明装置１Ｂによっても、上記一実施形態に係る照明装置１と同様に比較的簡易な構成によってユーザーが感じ得る発光ムラが抑制され得る。
【０１１５】
なお、給電部２１Ｂの代わりに、給電部２２が、給電部２１Ｂと同様な形状を有し且つ上部電極層１４Ｂに対して電気的に接続され、上部電極層１４Ｂにおける一方向（ここでは＋Ｘ方向）の電気抵抗が、下部電極層１２Ｂにおける一方向（ここでは、＋Ｘ方向）の電気抵抗よりも大きくなるように設定されても、同様な効果が得られる。
【０１１６】
＜(５−３)第３変形例＞
図１７は、第３変形例に係る照明装置１Ｃの面発光部１０Ｃの構成例を模式的に示す断面図である。面発光部１０Ｃは、上記一実施形態に係る面発光部１０がベースとされ、発光層１３および上部電極層１４が、発光層１３Ｃおよび上部電極層１４Ｃに置換されて、更に、模様部１５Ｃが設けられたものである。
【０１１７】
発光層１３Ｃは、下部電極層１２上に略均一の厚さで形成されている。また、上部電極層１４Ｃは、発光層１３Ｃ上に略均一の厚さで形成されている。
【０１１８】
図１８は、模様部１５Ｃの構成例を模式的に示す下面図である。模様部１５Ｃは、透明基板１１の一主面（ここでは−Ｚ側の面）上に、Ｙ方向に沿った直線状のｎ本の模様１５c1〜１５cnがＸ方向に順次に設けられた構造を有している。換言すれば、一方向（ここでは、Ｘ方向）に略直交する他方向（ここでは、Ｙ方向）に沿った直線状のｎ本の模様１５c1〜１５cnが、一方向（Ｘ方向）に沿って空間的に周期的に設けられている。
【０１１９】
このような模様部１５Ｃは、例えば、透明基板１１の一主面に対してエッチングが施されることで形成されるスリガラス状の部分であっても良いし、凹部であっても良いし、凸部であっても良い。また、模様部１５Ｃは、透明基板１１の一主面に対して、ｎ本の模様１５c1〜１５cnを有する透明フィルムであっても良い。なお、透明フィルムとしては、光損失が生じないように、ｎ本の模様１５c1〜１５cnの部分が光を所定方向（例えば、フィルムの法線方向）に光を透過させ、それ以外の部分が種々の方向に進行する光を透過させるようなものが考えられる。
【０１２０】
このような模様部１５Ｃの存在によって、面発光部１０Ｃが発光する際には、面発光部１０Ｃの発光面において、略一定の振幅を有する空間的に周期的な輝度の変動が生じ得る。この輝度の変動は、例えば、連続的な輝度の増減、離散的に生じる線状の輝度の増減、および離散的な点状の輝度の増減のうちの少なくとも１つの輝度の増減、またはその組合せであれば良い。
【０１２１】
以上のように、第３変形例に係る照明装置１Ｃによっても、上記一実施形態に係る照明装置１と同様に比較的簡易な構成によってユーザーが感じ得る発光ムラが抑制され得る。
【０１２２】
＜(５−４)第４変形例＞
図１９は、第４変形例に係る照明装置１Ｄの面発光部１０Ｄの構成例を模式的に示す断面図である。面発光部１０Ｄは、上記一実施形態に係る面発光部１０がベースとされ、透明基板１１、発光層１３、および上部電極層１４が、透明基板１１Ｄ、発光層１３Ｄ、および上部電極層１４Ｄに置換されたものである。
【０１２３】
発光層１３Ｄは、下部電極層１２上に略均一の厚さで形成されている。また、上部電極層１４Ｄは、発光層１３Ｄ上に略均一の厚さで形成されている。
【０１２４】
透明基板１１Ｄは、概ね平板状の形状を有するが、略平坦な他主面（＋Ｚ側の面）と、略一定の振幅を有する空間的に周期的な凹凸が設けられている一主面（−Ｚ側の面）とを有している。ここでは、透明基板１１Ｄは、透明基板１１の一主面上に、Ｙ方向に沿った直線状のｎ本の凹部１１d1〜１１dnがＸ方向に順次に設けられた構造を有している。換言すれば、一方向（ここでは、Ｘ方向）に略直交する他方向（ここでは、Ｙ方向）に沿った直線状のｎ本の凹部１１d1〜１１dnが、一方向（Ｘ方向）に沿って空間的に周期的に設けられている。
【０１２５】
このような透明基板１１Ｄに設けられた凹凸によって、図１９の黒塗りの矢印で示されるように、発光層１３Ｄで生じた光が透明基板１１Ｄを透過する際に、透明基板１１Ｄの一主面（−Ｚ側の面）における屈折に因る光の集中および拡散を生じさせる。その結果、面発光部１０Ｄが発光する際には、面発光部１０Ｄの発光面において、略一定の振幅を有する空間的に周期的な輝度の変動が生じる。
【０１２６】
以上のように、第４変形例に係る照明装置１Ｄによっても、上記一実施形態に係る照明装置１と同様に比較的簡易な構成によってユーザーが感じ得る発光ムラが抑制され得る。
【０１２７】
＜(５−５)その他の変形例＞
◎上記一実施形態および上記第１〜４変形例では、面発光部１０，１０Ａ〜１０Ｄが発光する際には、面発光部１０，１０Ａ〜１０Ｄの発光面において、１つの略一定の振幅を有する空間的に周期的な輝度の変動が生じたが、これに限られない。
【０１２８】
例えば、発光ムラが更に抑制される観点から言えば、異なる空間周波数に係る輝度の変動が重畳した輝度の変動が生じる方が好ましい。換言すれば、略一定の振幅を有する第１の空間周波数の空間的に周期的な輝度の変動と、略一定の振幅を有する第１の空間周波数とは異なる第２の空間周波数の空間的に周期的な輝度の変動とが重畳して生じる輝度の変動が実現される方が好ましい。また、重畳する輝度の変動は３種類以上であっても良い。
【０１２９】
但し、異なる空間周波数どうしの干渉によって発光ムラを発生させない観点から言えば、重畳される輝度の変動に係る相互に異なる空間周波数は、整数倍の関係を有することが好ましい。このような空間的に周期的な輝度の変動は、例えば、整数倍の空間周波数の関係を有する複数の波の成分が含まれる三角波および方形波の少なくとも一方の波形が、輝度の変動に適用されることで実現可能である。
【０１３０】
なお、異なる空間周波数に係る輝度の変動が重畳した輝度の変動を意図的に生じさせることは、例えば、上記一実施形態および上記第１〜４変形例に係る構成が適宜に調整されることで実現可能である。具体的には、上記一実施形態に係る発光層１３の厚みの調整、上記第１変形例に係る複数の発光ユニット１Ａ1〜１Ａnの配列状態の調整、上記第２変形例に係る複数の副配線２１b1〜２１bnの配列状態の調整、上記第３変形例に係る模様の調整、および上記第４変形例に係る透明基板１１Ｄの凹凸の調整のうちの少なくとも１つの方法または２以上の方法の組合せによって実現可能である。
【０１３１】
◎上記一実施形態および上記第１〜４変形例では、面発光部１０，１０Ａ〜１０Ｄが発光する際には、面発光部１０，１０Ａ〜１０Ｄの発光面において、一方向に略一定の振幅を有する空間的に周期的な輝度の変動が生じたが、これに限られない。
【０１３２】
例えば、発光ムラが更に抑制される観点から言えば、相互に異なる２以上の方向における略一定の振幅を有する空間的に周期的な輝度の変動が重畳した輝度の変動が生じる方が好ましい。換言すれば、第１の方向における略一定の振幅を有する空間的に周期的な輝度の変動と、第１の方向とは異なる第２の方向における略一定の振幅を有する空間的に周期的な輝度の変動とが重畳して生じる輝度の変動が実現される方が好ましい。
【０１３３】
ここで、第１の方向と第２の方向とが成す角度は、０°を超え且つ９０°以下の任意の角度であれば良い。ところで、或る方向の輝度ムラに起因してユーザーに感じさせる発光ムラがより効率的に抑制されるには、その或る方向と同一方向に略一定の振幅を有する空間的に周期的な輝度の変動が生じることが好ましい。従って、第１の方向と第２の方向とが略直交すれば、輝度ムラが生じる方向に拘わらず、発光ムラがより効率的に抑制され得る。また、重畳する輝度の変動は３種類以上であっても良い。
【０１３４】
なお、相互に異なる２以上の方向における輝度の変動が重畳した輝度の変動を意図的に生じさせることは、例えば、上記一実施形態および上記第１〜４変形例に係る構成が適宜に調整されることで実現可能である。具体的には、上記一実施形態に係る発光層１３の厚みの調整、上記第１変形例に係る複数の発光ユニット１Ａ1〜１Ａnの配列状態の調整、上記第２変形例に係る複数の副配線２１b1〜２１bnの配列状態の調整、上記第３変形例に係る模様の調整、および上記第４変形例に係る透明基板１１Ｄの凹凸の調整のうちの少なくとも１つの方法または２以上の方法の組合せによって実現可能である。
【０１３５】
なお、発光ムラが更に抑制される観点から言えば、ランダムな輝度の変動が意図的に生じる構成が採用されても良い。
【０１３６】
◎上記一実施形態および上記第１〜４変形例では、面発光部１０，１０Ａ〜１０Ｄは、略平面状の形状を有していたが、これに限られず、曲面状の形状等といった種々の面形状を有していても良い。
【０１３７】
◎上記一実施形態および上記第１〜４変形例では、意図的に生じさせる輝度の変動として、輝度の増減が採用されたが、これに限られない。例えば、発光層１３，１３Ａ〜１３Ｄで発生した光が透明基板１１，１１Ｄから射出する迄の光路上に、光を遮蔽する空間的に周期的な配列を有する遮光部が設けられることで、意図的に輝度の変動を生じさせても良い。なお、空間的に周期的な配列を有する遮光部は、例えば、メタルマスクを用いた蒸着法またはスパッタリング等によって可視光線を透過しない絶縁体等が、発光層１３，１３Ａ〜１３Ｄから透明基板１１，１１Ｄの一主面に至る任意の部分に形成される方法によって実現可能である。
【０１３８】
◎なお、上記一実施形態および各種変形例をそれぞれ構成する全部または一部は、適宜、矛盾しない範囲で組み合わせ可能であることは、言うまでもない。
【０１３９】
◎更に、本発明の技術的思想は、面発光を行う照明装置一般に適用可能である。
【符号の説明】
【０１４０】
１，１Ａ〜１Ｄ  照明装置
１Ａ1〜１ＡN  発光ユニット
１０，１０Ａ〜１０Ｄ  面発光部
１１，１１Ｄ  透明基板
１１d1〜１１dn  凹部
１２，１２Ａ，１２Ｂ  下部電極層
１２a1〜１２an，１２aM，１２aN  分割下部電極層
１３，１３Ａ〜１３Ｄ  発光層
１３a1〜１３an，１３aN  分割発光層
１４，１４Ａ〜１４Ｄ  上部電極層
１４a1〜１４an，１４aM，１４aN  分割上部電極層
２１b1〜２１bn  副配線
２１，２１Ｂ，２２  給電部
２１１Ｂ，２１２Ｂ  主配線
【図１】
2011152496.tif 000003
【図２】
2011152496.tif 000004
【図３】
2011152496.tif 000005
【図４】
2011152496.tif 000006
【図５】
2011152496.tif 000007
【図６】
2011152496.tif 000008
【図７】
2011152496.tif 000009
【図８】
2011152496.tif 000010
【図９】
2011152496.tif 000011
【図１０】
2011152496.tif 000012
【図１１】
2011152496.tif 000013
【図１２】
2011152496.tif 000014
【図１３】
2011152496.tif 000015
【図１４】
2011152496.tif 000016
【図１５】
2011152496.tif 000017
【図１６】
2011152496.tif 000018
【図１７】
2011152496.tif 000019
【図１８】
2011152496.tif 000020
【図１９】
2011152496.tif 000021
【国際調査報告】
2011152496.tif 000022
2011152496.tif 000023
2011152496.tif 000024
2011152496.tif 000025